(57)【要約】【課題】周囲の人を不安にさせることなく、安心して利用させることができる電子血圧計を提供すること。【解決手段】袋状の阻血袋１０７を備えたカフ１０５を収納するカフホルダー１０９を備えた筐体１０１と、阻血袋１０７内を加圧するポンプと、カフホルダー１０９に収納された阻血袋１０７内の圧力を検出する圧力センサと、を備えた電子血圧計１００において、圧力センサの検出結果に基づいてカフ１０５がカフホルダー１０９に収納された状態で阻血袋１０７が加圧されたと判断した場合に、ポンプによる加圧を停止するようにした。【選択図】図１
2015188554.tif 000002
【特許請求の範囲】
【請求項１】
袋状の阻血袋を備えたカフを収納するカフ収納部を備えた筐体と、
前記阻血袋内を加圧する加圧手段と、
前記カフの圧力を検出する検出手段と、
前記カフの状態を検知する検知手段と、
前記検知手段の検知結果に基づいて、前記カフが前記カフ収納部に収納された状態で前記阻血袋が前記加圧手段により加圧されたと判断した場合に、当該加圧手段による加圧を停止する制御手段と、
を備えたことを特徴とする電子血圧計。
【請求項２】
前記制御手段は、前記加圧手段の動作中に前記検出手段が検出する圧力値に基づいて、当該圧力値が所定の閾値以上降下した場合に、当該加圧手段による加圧を停止することを特徴とする請求項１に記載の電子血圧計。
【請求項３】
前記制御手段は、前記加圧手段の動作中に前記検出手段が検出する圧力値の変化を微分して得られる微分値に基づいて、当該微分値が瞬間的に所定の閾値以上降下した場合に、当該加圧手段による加圧を停止することを特徴とする請求項２に記載の電子血圧計。
【請求項４】
前記筐体は、前記加圧手段、前記検出手段および前記制御手段とは別体であることを特徴とする請求項２または３に記載の電子血圧計。
【請求項５】
前記検知手段は、前記カフ収納部に設けられて所定の押圧力が加えられた場合にオンオフを切り換えるスイッチであって、
前記制御手段は、前記加圧手段の動作中に前記スイッチのオンオフが切り換わった場合に、当該加圧手段による加圧を停止することを特徴とする請求項１〜４のいずれか一つに記載の電子血圧計。
【請求項６】
前記加圧手段の動作中に前記検出手段が検出する圧力値に基づいて、当該加圧手段による加圧を停止した場合に報知動作をおこなう報知手段を備えたことを特徴とする請求項１〜５のいずれか一つに記載の電子血圧計。
【請求項７】
前記加圧手段の動作中に前記検出手段が検出する圧力値に基づいて、当該加圧手段による加圧を停止した後、前記阻血袋内を減圧する減圧手段を備えたことを特徴とする請求項１〜６のいずれか一つに記載の電子血圧計。
【発明の詳細な説明】
【技術分野】
【０００１】
この発明は、生体（被測定者）に装着して血圧を測定する電子血圧計に関する。
【背景技術】
【０００２】
従来、電子血圧計において、膨張することにより挿入された測定者の上腕を加圧するカフ（腕帯部）を着脱可能に収納する収納部と、当該収納部におけるカフの有無をフォトカプラーを用いて検出する検出部とを設け、カフを収納部に収納した状態では気温、気圧、アナログ時計などを表示し、カフを収納部から取り外した状態では、気温、気圧、時刻表示、体温、最高血圧、最低血圧、脈拍などを表示するようにした技術があった（たとえば、下記特許文献１を参照。）。
【先行技術文献】
【特許文献】
【０００３】
【特許文献１】特開２０１１−１２５６２７号公報
【発明の概要】
【発明が解決しようとする課題】
【０００４】
しかしながら、上述した特許文献１に記載された従来の技術は、フォトカプラーを用いて収納部におけるカフの有無を判断しており、フォトカプラーは収納部におけるカフ以外の物品もカフと同様に検出してしまう。このため、収納部におけるカフの有無の判断にかかる信頼性を確保することが難しいという問題があった。
【０００５】
また、収納部を有する電子血圧計においては、誤って操作スイッチに手が触れてしまった、操作スイッチに物を落としてしまったなどによって、カフが収納部に収納されている状態で膨張し、カフが収納部の隙間よりも大きくなるまで膨張すると、収納部が拡がるように圧迫され、電子血圧計の筐体が変形してしまう懸念がある。
【０００６】
収納部が拡がった状態でさらにカフが膨張すると、収納部（筐体）が破損したり、あるいは、カフが収納部から飛び出したりして、電子血圧計の周囲の人を不用意に驚かせたり、怪我をさせたりすることが懸念される。また、収納部が破損しなくても、変形してしまった場合、電子血圧計の美観を損ねてしまう。
【０００７】
この発明は、上述した従来技術による問題点を解消するため、周囲の人を不安にさせることなく、安心して利用させることができる電子血圧計を提供することを目的とする。
【課題を解決するための手段】
【０００８】
上述した課題を解決し、目的を達成するため、この発明にかかる電子血圧計は、袋状の阻血袋を備えたカフを収納するカフ収納部を備えた筐体と、前記阻血袋内を加圧する加圧手段と、前記カフの圧力を検出する検出手段と、前記カフの状態を検知する検知手段と、前記検知手段の検知結果に基づいて、前記カフが前記カフ収納部に収納された状態で前記阻血袋が前記加圧手段により加圧されたと判断した場合に、当該加圧手段による加圧を停止する制御手段と、を備えたことを特徴とする。
【０００９】
また、この発明にかかる電子血圧計は、上記の発明において、前記制御手段が、前記加圧手段の動作中に前記検出手段が検出する圧力値に基づいて、当該圧力値が所定の閾値以上降下した場合に、当該加圧手段による加圧を停止することを特徴とする。
【００１０】
また、この発明にかかる電子血圧計は、上記の発明において、前記制御手段が、前記加圧手段の動作中に前記検出手段が検出する圧力値の変化を微分して得られる微分値に基づいて、当該微分値が瞬間的に所定の閾値以上降下した場合に、当該加圧手段による加圧を停止することを特徴とする。
【００１１】
また、この発明にかかる電子血圧計は、上記の発明において、前記筐体が、前記加圧手段、前記検出手段および前記制御手段とは別体であることを特徴とする。
【００１２】
また、この発明にかかる電子血圧計は、上記の発明において、前記検知手段が、前記カフ収納部に設けられて所定の押圧力が加えられた場合にオンオフを切り換えるスイッチであって、前記制御手段が、前記加圧手段の動作中に前記スイッチのオンオフが切り換わった場合に、当該加圧手段による加圧を停止することを特徴とする。
【００１３】
また、この発明にかかる電子血圧計は、上記の発明において、前記加圧手段の動作中に前記検出手段が検出する圧力値に基づいて、当該加圧手段による加圧を停止した場合に報知動作をおこなう報知手段を備えたことを特徴とする。
【００１４】
また、この発明にかかる電子血圧計は、上記の発明において、前記加圧手段の動作中に前記検出手段が検出する圧力値に基づいて、当該加圧手段による加圧を停止した後、前記阻血袋内を減圧する減圧手段を備えたことを特徴とする。
【発明の効果】
【００１５】
この発明にかかる電子血圧計によれば、周囲の人を不安にさせることなく、安心して利用させることができるという効果を奏する。
【図面の簡単な説明】
【００１６】
【図１】この発明にかかる実施の形態１の電子血圧計の外観を示す説明図である。
【図２】この発明にかかる実施の形態１の電子血圧計の動作にかかる各部の構成を示すブロック図である。
【図３】この発明にかかる実施の形態１の電子血圧計の機能的構成を示すブロック図である。
【図４】阻血袋内の圧力変化を示すグラフである。
【図５】この発明にかかる実施の形態２の電子血圧計の外観を示す説明図である。
【図６】この発明にかかる別の実施の形態の電子血圧計を示す説明図である。
【発明を実施するための形態】
【００１７】
以下に添付図面を参照して、この発明にかかる電子血圧計の好適な実施の形態を詳細に説明する。
【００１８】
＜実施の形態１＞
（電子血圧計の外観）
まず、この発明にかかる実施の形態１の電子血圧計の外観について説明する。図１は、この発明にかかる実施の形態１の電子血圧計の外観を示す説明図である。図１においては、この発明にかかる実施の形態１の電子血圧計を斜め上方から見た状態を示している。
【００１９】
図１において、この発明にかかる実施の形態１の電子血圧計１００は、筐体１０１とカフ（腕帯）１０５とを備えている。筐体１０１は、電子血圧計１００の使用時において前方となる側（前方側、使用者に向けられる側）ほど低くなるように傾斜した操作面１０１ａを備えている。操作面１０１ａには、液晶表示部１０２と、操作スイッチ１０３が設けられている。
【００２０】
液晶表示部１０２は、測定した血圧値（最高血圧値、最低血圧値）、脈拍、日付、時刻などを表示する。液晶表示部１０２は、血圧の測定をおこなっていない場合は、現在日時を表示してもよい。操作スイッチ１０３は、血圧の測定を開始させたり、血圧の測定を停止させたりする「測定／停止」スイッチによって実現することができる。
【００２１】
筐体１０１には、筐体１０１の内部に設けられたポンプ（図２を参照）に接続するエアホースソケット１０４が設けられている。エアホースソケット１０４には、カフ１０５が備えるエアホース１０６の先端に設けられたプラグ（エアホースプラグ）１０６ａが挿入される。これにより、筐体１０１とカフ１０５とが接続され一体とされる。カフ１０５は、阻血袋１０７、カフ帯１０８、エアホース１０６などを備えて構成されている。
【００２２】
筐体１０１の内部には、ポンプ、センサ基板、バッファー、フィルター、電磁ＳＬ、エアホースソケット１０４、バッテリなどが設けられている。ポンプの構成、センサ基板、バッファー、フィルター、電磁ＳＬ、エアホースソケット１０４、バッテリなど、電子血圧計１００が備える各部については、公知の技術であるため説明を省略する。
【００２３】
筐体１０１の背面側（前方側とは反対側）には、カフホルダー１０９が設けられている。カフホルダー１０９は、略Ｌ字形状をなす部材を、筐体１０１の背面側の下端に取り付けることによって構成される。カフホルダー１０９は、略Ｌ字形状をなす部材と筐体１０１の背面との間において、カフ１０５を挟み込んだ状態で当該カフ１０５を収容（保持）するカフ収納部を構成し、上方および側方が開放されている。
【００２４】
（電子血圧計１００の動作にかかる各部の構成）
図２は、この発明にかかる実施の形態１の電子血圧計１００の動作にかかる各部の構成を示すブロック図である。図２において、電子血圧計１００は、ＣＰＵ２０１、ポンプ駆動回路２０２、エアバルブ駆動回路２０３、メモリ２０４、液晶表示部１０２、操作スイッチ１０３、ポンプ２０５、エアバルブ２０６、圧力センサ２０７、Ａ／Ｄコンバータ２０９、などを備えて構成されている。ＣＰＵ２０１、ポンプ駆動回路２０２、エアバルブ駆動回路２０３、メモリ２０４、Ａ／Ｄコンバータ２０９などは、センサ基板（図示を省略する）に搭載されている。
【００２５】
ＣＰＵ２０１は、電子血圧計１００全体の制御をつかさどる。ＣＰＵ２０１は、たとえば、操作スイッチ１０３に対する操作を受け付けた場合に、ポンプ駆動回路２０２に対して制御信号を出力する。ＣＰＵ２０１は、時刻を計時するタイマ機能を備えている。ＣＰＵ２０１は、たとえば、圧力センサ２０７から出力される圧力検出信号に基づいて、ポンプ駆動回路２０２やエアバルブ駆動回路２０３に対して制御信号を出力する。
【００２６】
また、ＣＰＵ２０１は、「測定／停止」スイッチが所定時間以上継続して操作され続けた場合、「測定／停止」スイッチの操作が停止されるまで阻血袋１０７内を加圧し、「測定／停止」スイッチの操作が停止した時点から血圧値の測定をおこなう。また、ＣＰＵ２０１は、ポンプ２０５を駆動している状態で「測定／停止」スイッチが操作された場合、電子血圧計の電源を切断する。
【００２７】
ポンプ駆動回路２０２は、ＣＰＵ２０１から出力された制御信号に基づいて動作し、ポンプ２０５を駆動制御する。ポンプ駆動回路２０２は、ポンプ２０５を駆動制御することによって阻血袋１０７に空気を送り込み、阻血袋１０７を加圧する。具体的には、ポンプ駆動回路２０２は、阻血袋１０７の圧力が所定の圧力となるように、阻血袋１０７に圧縮気体を送り込む。
【００２８】
エアバルブ駆動回路２０３は、ＣＰＵ２０１から出力された制御信号に基づいて動作し、エアバルブ２０６を駆動制御し、エアバルブ２０６の開閉状態を制御する。エアバルブ駆動回路２０３は、エアバルブ２０６を駆動制御することによって、阻血袋１０７の圧力を維持するとともに、阻血袋１０７の圧力の減圧をおこなう。具体的には、エアバルブ駆動回路２０３は、血圧値の測定時において、ポンプ２０５の動作によって高圧状態となった阻血袋１０７の圧力の維持および減圧をおこなうとともに、測定終了後において阻血袋１０７を大気圧に復帰させる。圧力センサ２０７は、血圧値の測定時において変化する阻血袋１０７の圧力を検出し、阻血袋１０７の圧力検出信号を出力する。
【００２９】
液晶表示部１０２は、ＣＰＵ２０１のタイマ機能により計時され、当該ＣＰＵ２０１から出力される時刻信号に基づいて、時刻を表示する。液晶表示部１０２は、ＣＰＵ２０１から出力された測定値信号に基づいて、最高血圧値、最低血圧値、脈拍数、体動マーク、脈間隔変動マークなど、電子血圧計１００が測定した各種の測定結果を表示する。液晶表示部１０２に表示された測定結果に基づき、被測定者によって操作スイッチ１０３が操作されると、ＣＰＵ２０１は、測定結果をメモリ２０４に出力する。メモリ２０４は、測定結果を記憶する。
【００３０】
（血圧値の測定動作）
電子血圧計１００を使用する被測定者は、カフ１０５内に腕を挿通させた状態で、操作スイッチ１０３を操作する。電子血圧計１００におけるＣＰＵ２０１は、操作スイッチ１０３に対する操作を受け付けると、ポンプ駆動回路２０２によりポンプ２０５を駆動制御して、当該ポンプ２０５により阻血袋１０７内にエアを送り込む。
【００３１】
ＣＰＵ２０１は、Ａ／Ｄコンバータ２０９を介して圧力センサ２０７から出力される圧力検出信号に基づいて、阻血袋１０７内の圧力が所定の閾値に達するまで、ポンプ２０５により阻血袋１０７内にエアを送り込む。ＣＰＵ２０１は、阻血袋１０７内の圧力が所定の閾値に達した場合、ポンプ２０５を停止させ、血圧値の測定を開始する。
【００３２】
血圧値の測定に際しては、血圧測定プログラムを起動し、Ａ／Ｄコンバータ２０９を介して圧力センサ２０７から出力される圧力検出信号に基づいて、加圧時における脈波を検出する。
【００３３】
脈波は、圧力検出信号に基づいて、阻血袋１０７内の圧力の変化を算出することによって検出することができる。そして、算出した脈波に基づいて最高血圧値および最低血圧値を検出する。最高血圧値および最低血圧値の検出後、エアバルブ駆動回路２０３によってエアバルブ２０６の開閉状態を制御し、阻血袋１０７を減圧する。その後、液晶表示部１０２を制御して、検出した最高血圧値および最低血圧値を表示する。
【００３４】
（電子血圧計の機能的構成）
つぎに、この発明にかかる実施の形態１の電子血圧計１００の機能的構成について説明する。図３は、この発明にかかる実施の形態１の電子血圧計１００の機能的構成を示すブロック図である。図３において、この発明にかかる実施の形態１の電子血圧計１００の各機能は、加圧部３０１、検出部３０２、検知部３０３、制御部３０４、減圧部３０５および報知部３０６によって実現することができる。
【００３５】
加圧部３０１は、阻血袋１０７内を加圧する。加圧部３０１の機能は、具体的には、たとえば、ポンプ駆動回路２０２やポンプ２０５によって実現することができる。検出部３０２は、カフ１０５の圧力を検出する。検出部３０２は、カフ１０５がカフホルダー１０９に収納されているか否かにかかわらず、カフ１０５の圧力を検出することができる。検出部３０２の機能は、具体的には、たとえば、圧力センサ２０７によって実現することができる。
【００３６】
検知部３０３は、カフ１０５が測定時以外にも加圧されたかどうかを検出する。検知部３０３は、たとえば、検出部３０２が検出した、カフ１０５の圧力の変化に基づいてカフ１０５が測定時以外にも加圧されたかどうかを検出することができる。検知部３０３の機能は、具体的には、たとえば、ＣＰＵ２０１によって実現することができる。制御部３０４は、検知部３０３の検知結果に基づいて、カフ１０５がカフホルダー１０９に収納された状態で阻血袋１０７が加圧部３０１により加圧されたと判断した場合に、当該加圧部３０１による加圧を停止する。制御部３０４の機能は、具体的には、たとえば、ＣＰＵ２０１によって実現することができる。なお、検出部３０２が検知部３０３の機能を備えてもよい。
【００３７】
電子血圧計１００の非使用時において、カフ１０５は、カフホルダー１０９により筐体の背面側に形成される空間に収納される。カフ１０５がカフホルダー１０９に収納されている状態でポンプ２０５により阻血袋１０７内が加圧されると、阻血袋１０７がカフホルダー１０９内で膨張する。カフホルダー１０９の上方および側方が開口しているため、阻血袋１０７がカフホルダー１０９と筐体１０１の背面側との間隔よりも大きくなるまで膨張すると、カフホルダー１０９が筐体１０１の背面側から離反する方向に変形してしまう。
【００３８】
この状態でさらに阻血袋１０７が膨張すると、カフホルダー１０９が破損したり、あるいは、カフ１０５がカフホルダー１０９から飛び出す。カフホルダー１０９が破損することにより、電子血圧計１００の周囲の人を不用意に驚かせたり、怪我をさせたりすることが懸念される。また、カフホルダー１０９が破損しなくても、変形してしまった場合、電子血圧計の美観を損ねてしまう。
【００３９】
一般的に、電子血圧計１００において、カフ１０５は、折り畳まれた状態でカフホルダー１０９に収容される。この状態でカフ１０５を加圧すると、カフ１０５が途中で摺動して、阻血袋１０７内の圧力は一時的に低下する。
【００４０】
この実施の形態１において、制御部３０４は、加圧部３０１の動作中に検出部３０２が検出する圧力値の変化を微分し、当該微分により得られる微分値に基づいて、血圧値の測定をしない状態で阻血袋１０７が加圧されていると判断する。具体的には、制御部３０４は、たとえば、加圧部３０１の動作中に検出部３０２が検出する圧力値の変化を微分し、当該微分値が所定の閾値以上変化（降下）した場合に、血圧値の測定をしない状態で阻血袋１０７が加圧されていると判断する（図４を参照）。そして、制御部３０４は、圧力値が所定の閾値以上降下したことを検出した場合に、電子血圧計１００が誤動作していると判断し、加圧部３０１による加圧を停止する。
【００４１】
減圧部３０５は、加圧部３０１の動作中に検出部３０２が検出する圧力値に基づいて当該加圧部３０１による加圧を停止した場合に、阻血袋１０７内を減圧する。減圧部３０５の機能は、具体的には、たとえば、エアバルブ駆動回路２０３やエアバルブ２０６によって実現することができる。報知部３０６は、加圧部３０１の動作中に検出部３０２が検出する圧力値に基づいて、当該加圧部３０１による加圧を停止した場合に報知動作をおこなう。
【００４２】
具体的には、報知部３０６は、たとえば、液晶表示部１０２が表示する時刻を点滅表示させることによって報知動作をおこなう。また、報知部３０６は、時刻を点滅表示させることに代えて、具体的には、たとえば、「ポンプ２０５が動作しています。」、「ポンプ２０５が動作しています。確認してください。」などのメッセージを液晶表示部１０２に表示させることによって報知動作をおこなうようにしてもよい。この場合、報知部３０６は、具体的には、たとえば、「操作中」、「操作キーが操作されています。」、「操作キーが操作されています。操作キーの状態を確認してください。」などのメッセージを液晶表示部１０２において点滅表示させることによって報知動作をおこなうようにしてもよい。
【００４３】
また、ＬＥＤなどの発光体を筐体１０１に設け、加圧部３０１の動作中に検出部３０２が検出する圧力値に基づいて当該加圧部３０１による加圧を停止した場合に、当該発光体を点灯あるいは点滅させることにより報知動作をおこなうようにしてもよい。発光体は、電子血圧計が誤動作していることを報知する専用の発光体であってもよく、操作スイッチ１０３に発光体を設けて当該操作キーを発光させるようにしてもよい。
【００４４】
また、ブザーなど、音声を出力する音源を筐体に設け、加圧部３０１の動作中に検出部３０２が検出する圧力値に基づいて当該加圧部３０１による加圧を停止した場合に、当該音源から音声を出力させることによって報知動作をおこなうようにしてもよい。
【００４５】
図４は、阻血袋１０７内の圧力変化を示すグラフである。図４においては、血圧値を測定する状態でポンプ２０５を駆動した場合と、カフ１０５がカフホルダー１０９に収納されている状態で電子血圧計１００が誤動作した場合の、阻血袋１０７内の圧力変化を示すグラフを示している。図４に示すように、阻血袋１０７内の圧力は、血圧値を測定する状態であっても、カフ１０５がカフホルダー１０９に収納されている状態であっても、ポンプ２０５が駆動すると徐々に増加する。
【００４６】
阻血袋１０７内の圧力は、血圧値を測定する状態でポンプ２０５を駆動した場合、阻血袋１０７内の圧力が所定の閾値に達するまで上昇を続ける（図４における符号４０１を参照）。カフ１０５がカフホルダー１０９に収納されている状態でポンプ２０５を駆動した場合、阻血袋１０７内の圧力は、血圧値を測定する状態でポンプ２０５を駆動した場合とは異なる変化を示し、カフ１０５が摺動したときに、瞬間的に増加が抑えられる（図４における符号４０２を参照）。
【００４７】
阻血袋１０７内の圧力の微分値は、血圧値を測定する状態でポンプ２０５を駆動した場合、阻血袋１０７内の圧力が高まった以降脈波を示す（図４における符号４０３を参照）。これに対し、カフ１０５がカフホルダー１０９に収納されている状態でポンプ２０５を駆動した場合、阻血袋１０７内の圧力の微分値は、血圧値を測定する状態でポンプ２０５を駆動した場合の微分値とは異なる変化を示し、カフ１０５が摺動したときに負方向へ突出するインパルスを示す（図４における符号４０４を参照）。
【００４８】
上記のように、折り畳まれた状態でカフホルダー１０９に収容されているカフ１０５が加圧されると、カフ１０５が途中で摺動し、阻血袋１０７内の圧力が一時的に下がる。このため、阻血袋１０７内の圧力の変化を微分した場合、カフ１０５が摺動したときに、当該微分値が瞬間的に低下する。上記の制御部３０４は、このインパルスの深さ（瞬間的な微分値の減少の大きさ）が所定の閾値以上である場合に、血圧値の測定をしない状態で阻血袋１０７が加圧されていると判断することができる。
【００４９】
上述した実施の形態１においては、加圧部３０１の動作中に検出部３０２が検出する圧力値の変化の微分値に基づいて、血圧値の測定をしない状態で阻血袋１０７が加圧されていることを判断するようにしたが、血圧値の測定をしない状態で阻血袋１０７が加圧されているか否かの判断方法はこれに限るものではない。上述した判断方法に代えて、圧力値の降下を直接検出することにより電子血圧計の誤動作を判断するようにしてもよい。
【００５０】
上記のように、カフ１０５は、折り畳まれた状態でカフホルダー１０９に収容されるため、この状態でカフ１０５を加圧すると、カフ１０５が摺動したときに、阻血袋１０７内の圧力は一時的に低下する。
【００５１】
このため、制御部３０４は、加圧部３０１の動作中に検出部３０２が検出する圧力値に基づいて、当該圧力値が所定の閾値以上降下した場合に、血圧値の測定をしない状態で阻血袋１０７が加圧されていると判断し、加圧部３０１による加圧を停止する。
【００５２】
（別の実施の形態）
図６は、この発明にかかる別の実施の形態の電子血圧計を示す説明図である。上述した実施の形態１においては、筐体１０１とカフ１０５とが別体で構成された電子血圧計を例に説明したが、これに限るものではない。図６に示すように、いわゆる手首式の電子血圧計と称されるような構造の電子血圧計であってもよい。
【００５３】
図６において、この発明にかかる別の実施の形態の電子血圧計６００は、液晶表示部１０２を備えるとともにセンサ基板やバッテリなどを収容した血圧計本体６０１を備えている。血圧計本体６０１は、略円筒形状のカフ１０５に一体的に取り付けられている。また、この発明にかかる別の実施の形態の電子血圧計６００は、カフ１０５および血圧計本体６０１と、カフ１０５および血圧計本体６０１を収納する収納ケース（筐体）６０２と、に分かれている。この発明にかかる別の実施の形態の電子血圧計６００においては、カフ１０５および血圧計本体６０１を収納する、収納ケース６０２内の空間によってこの発明にかかる電子血圧計が備えるカフ収納部を実現することができる。
【００５４】
このような構造の電子血圧計６００においては、収納ケース６０２内に収納された状態でポンプ２０５により阻血袋１０７内が加圧された場合、すなわち、腕に未装着のまま阻血袋が膨らんだ場合、血圧計本体６０１が（血圧計本体を収納した）筐体から飛び出してくることが考えられる。この場合にも、上記の図４に示したグラフのように、阻血袋１０７内の圧力は一時的に低下し、負方向へ突出するインパルスを検出することができる。
【００５５】
以上説明したように、この発明にかかる実施の形態の電子血圧計１００は、袋状の阻血袋１０７を備えたカフ１０５を収納するカフホルダー１０９を備えた筐体１０１と、阻血袋１０７内を加圧する加圧手段としてのポンプ２０５およびポンプ駆動回路２０２と、カフホルダー１０９に収納された阻血袋１０７内の圧力を検出する検出手段としての圧力センサ２０７と、を備えている。そして、カフの状態を検出する検出手段および制御手段としてのＣＰＵ２０１の制御により、圧力センサ２０７による検出（検知）結果に基づいてカフ１０５がカフホルダー１０９に収納された状態で阻血袋１０７が加圧されたと判断した場合に、ポンプ２０５およびポンプ駆動回路２０２による加圧を停止するようにしたことを特徴としている。
【００５６】
この発明にかかる実施の形態の電子血圧計１００によれば、カフ１０５がカフホルダー１０９に収納された状態で阻血袋１０７が加圧され続けることを防止できる。これにより、カフホルダー１０９が変形したり破損したりすることを防止できる。また、これにより、カフ１０５がカフホルダー１０９に収納された状態で阻血袋１０７が加圧され続けることによって、「カフホルダー１０９が変形したり破損したりするのではないか」、「破損して怪我をするのではないか」、「電子血圧計１００が壊れたのではないか」などのように、電子血圧計１００の周囲の人を不安にさせることなく、安心して電子血圧計１００を利用させることができる。
【００５７】
また、この発明にかかる実施の形態の電子血圧計１００は、ポンプ２０５の動作中に圧力センサ２０７が検出する圧力値の変化を微分して得られる微分値に基づいて、当該微分値が瞬間的に所定の閾値以上降下した場合に、当該ポンプ２０５による加圧を停止することを特徴としている。
【００５８】
この発明にかかる実施の形態の電子血圧計１００によれば、カフ１０５がカフホルダー１０９に収納された状態で阻血袋１０７が加圧され続けることを検出するための機構を別途設けることなく、電子血圧計１００が血圧値の測定のために本来備える圧力センサ２０７を用いて、カフ１０５がカフホルダー１０９に収納された状態で阻血袋１０７が加圧され続けることを防止することができる。これにより、製造工程数や部品点数を抑え、製造コストを増加させることなく、カフホルダー１０９が変形したり破損したりすることを防止できる。
【００５９】
また、この発明にかかる実施の形態の電子血圧計１００においては、ポンプ２０５の動作中に圧力センサ２０７が検出する圧力値に基づいて、当該圧力値が所定の閾値以上降下した場合に、ポンプ２０５による加圧を停止するようにしてもよい。これによっても、微分値に基づいて加圧を停止する電子血圧計１００と同様に、カフ１０５がカフホルダー１０９に収納された状態で阻血袋１０７が加圧され続けることを検出するための機構を別途設けることなく、電子血圧計１００が血圧値の測定のために本来備える圧力センサ２０７を用いて、カフ１０５がカフホルダー１０９に収納された状態で阻血袋１０７が加圧され続けることを防止することができる。
【００６０】
また、この発明にかかる実施の形態の電子血圧計１００は、ポンプ２０５の動作中に圧力センサ２０７が検出する圧力値に基づいて、当該ポンプ２０５よる加圧を停止した場合に報知動作をおこなうようにしたことを特徴としている。
【００６１】
この発明にかかる実施の形態の電子血圧計１００によれば、カフ１０５がカフホルダー１０９に収納された状態で阻血袋１０７が加圧された場合に、電子血圧計１００の非使用時に阻血袋１０７の加圧がおこなわれ、それを停止したことを案内することができる。これにより、電子血圧計１００の周囲の人に対して、不要な加圧を停止したことを知らせるとともに、電子血圧計１００が正常に動作していることを知らせることができる。そして、これにより、電子血圧計１００の周囲の人を不安にさせることなく、安心して電子血圧計１００を利用させることができる。
【００６２】
また、この発明にかかる実施の形態の電子血圧計１００は、ポンプ２０５の動作中に圧力センサ２０７が検出する圧力値に基づいて、当該ポンプ２０５による加圧を停止した後、阻血袋１０７内を減圧するようにしたことを特徴としている。
【００６３】
この発明にかかる実施の形態の電子血圧計１００によれば、不要な加圧がおこなわれた場合は、ただちに阻血袋１０７内を減圧して、カフ１０５の状態を迅速に通常の状態に戻すことができる。これにより、阻血袋１０７内が不要に加圧されることを抑制するとともに、「電子血圧計１００が壊れたのではないか」などのように、電子血圧計１００の周囲の人を不安にさせることなく、安心して電子血圧計１００を利用させることができる。
【００６４】
上述した実施の形態１においては、血圧値の測定をしない状態で阻血袋１０７が加圧されていると判断した場合は、加圧を停止するとともに阻血袋１０７内を減圧するようにしたが、これに限るものではない。血圧値の測定をしない状態で阻血袋１０７が加圧されていると判断した場合は、減圧をせず、加圧を停止するのみであってもよい。
【００６５】
＜実施の形態２＞
つぎに、この発明にかかる実施の形態２の電子血圧計について説明する。実施の形態２においては、上述した実施の形態１と同一部分は同一符号で示し、説明を省略する。図５は、この発明にかかる実施の形態２の電子血圧計の外観を示す説明図である。図５においては、この発明にかかる実施の形態２の電子血圧計を側方から見た状態を示している。
【００６６】
図５において、この発明にかかる実施の形態２の電子血圧計１００は、筐体１０１の背面に設けられたスイッチ５０１を備えている。スイッチ５０１は、たとえば、マイクロスイッチによって実現することができる。マイクロスイッチは、接点の微少な動きによりオンオフが切り換わるスイッチ５０１であって、接点の動きによる機械的信号を電気的な信号に変換してＣＰＵ２０１に出力する。
【００６７】
筐体１０１内には、マイクロスイッチからの出力信号を増幅する増幅器や、増幅器が増幅したアナログ値の出力信号をデジタル化するＡ／Ｄコンバータ（いずれも図示を省略する）が設けられている。実施の形態２の電子血圧計１００における検出部３０２の機能は、マイクロスイッチ、およびマイクロスイッチからの出力信号を増幅する増幅器、当該増幅器が増幅したアナログ値の出力信号をデジタル化するＡ／Ｄコンバータによって実現することができる。
【００６８】
折り畳まれた状態でカフホルダー１０９に収容されているカフ１０５は、誤動作によって阻血袋１０７が加圧された場合にカフホルダー１０９内で膨張する。カフホルダー１０９内において阻血袋１０７が膨張すると、膨張した阻血袋１０７（カフ１０５）によってマイクロスイッチが押圧され、マイクロスイッチのオンオフが切り換わる。
【００６９】
実施の形態２の電子血圧計１００における制御部３０４は、加圧部３０１の動作中にマイクロスイッチのオンオフが切り換わった場合に、当該ポンプ２０５による加圧を停止する。マイクロスイッチは、たとえば、常時はオフ状態であって、誤動作により膨張した阻血袋１０７（カフ１０５）によって押圧された場合にオン状態となるように設定することができる。あるいは、マイクロスイッチは、たとえば、常時はオン状態であって、誤動作により膨張した阻血袋１０７（カフ１０５）によって押圧された場合にオフ状態となるように設定してもよい。
【００７０】
以上説明したように、この発明にかかる実施の形態２の電子血圧計１００は、ポンプ２０５の動作中にマイクロスイッチのオンオフが切り換わった場合に、当該ポンプ２０５による加圧を停止することを特徴としている。
【００７１】
この発明にかかる実施の形態２の電子血圧計１００によれば、カフ１０５がカフホルダー１０９に収納された状態で阻血袋１０７が加圧され続けることを確実に防止することができる。これにより、カフホルダー１０９が変形したり破損したりすることを防止できる。また、これにより、カフ１０５がカフホルダー１０９に収納された状態で阻血袋１０７が加圧され続けることによって、「カフホルダー１０９が変形したり破損したりするのではないか」、「破損して怪我をするのではないか」、「電子血圧計１００が壊れたのではないか」などのように、電子血圧計１００の周囲の人を不安にさせることなく、安心して電子血圧計１００を利用させることができる。
【００７２】
上述した実施の形態１、実施の形態２においては、この発明にかかる実施の形態の電子血圧計１００の動作にかかる各部の構成を図２に示したブロック図を用いて説明したが、この発明にかかる実施の形態の電子血圧計１００の動作にかかる各部の構成は、図２の構成に限るものではない。
【産業上の利用可能性】
【００７３】
以上のように、この発明にかかる電子血圧計は、生体（被測定者）に装着して血圧を測定する電子血圧計に有用であり、特に、カフを収納するカフ収納部を備えた電子血圧計に適している。
【符号の説明】
【００７４】
１００  電子血圧計
１０２  液晶表示部
１０３  操作スイッチ
１０５  カフ
１０９  カフホルダー
２０１  ＣＰＵ
２０２  ポンプ駆動回路
２０３  エアバルブ駆動回路
２０４  メモリ
２０５  ポンプ
２０６  エアバルブ
２０７  圧力センサ
２０９  Ａ／Ｄコンバータ
３０１  加圧部
３０２  検出部
３０３  検知部
３０４  制御部
３０５  減圧部
３０６  報知部
【図１】
2015188554.tif 000003
【図２】
2015188554.tif 000004
【図３】
2015188554.tif 000005
【図４】
2015188554.tif 000006
【図５】
2015188554.tif 000007
【図６】
2015188554.tif 000008